(57)【特許請求の範囲】
【請求項１】
複数の部屋のそれぞれに取り付けられた室内機をそれぞれ制御する空気調和機の集中コントロール装置において、
前記複数の部屋を利用する者の複数の行動内容と、当該行動内容に関連する部屋の前記室内機の制御内容とが関連付けて定義された動作内容情報と、前記室内機の動作の開始時刻及び終了時刻によりそれぞれ定義された複数の動作時刻情報と、前記動作内容情報と前記動作時刻情報とが組み合わされ、前記動作内容情報が前記動作時刻情報に沿って配列されたスケジュール情報とが記憶され、前記動作内容情報は、一つの行動内容が、運転停止が設定される部屋の前記室内機の制御内容及び運転開始が設定される部屋の室内機の制御内容とそれぞれ関連付けて定義されたものを含む、記憶部と、
前記記憶部が記憶する前記動作時刻情報、前記動作内容情報、前記スケジュール情報を表示する表示部と、
前記複数の室内機のそれぞれを制御する制御部と、
を有し、
前記表示部は、
前記動作時刻情報が入力される時刻入力画面と、
前記動作内容情報が前記行動内容毎に入力される動作入力画面と、
をそれぞれ表示し、
前記表示部の前記時刻入力画面又は前記動作入力画面にしたがって、該当する前記動作時刻情報又は前記動作内容情報が入力される操作部を備え、
前記制御部は、前記記憶部に記憶された前記動作時刻情報と前記動作内容情報との組み合わせに基づいた前記スケジュール情報に基づいて前記複数の室内機のそれぞれを制御する、
空気調和機の集中コントロール装置。
【請求項２】
前記行動内容が当該行動内容を表す動作ＩＤによって特定され、前記動作内容情報は、
前記動作ＩＤと前記室内機の制御内容とが関連付けて定義されて前記記憶部に記憶される、
請求項１に記載の空気調和機の集中コントロール装置。
【請求項３】
複数の前記動作時刻情報のそれぞれが当該動作時刻情報を表す時刻ブロックとそれをラベル化した時刻ＩＤとによって特定されて前記記憶部に記憶される、
請求項１又は請求項２に記載の空気調和機の集中コントロール装置。
【請求項４】
前記時刻ブロックは、日、週、又は年の単位を前記開始時刻及び終了時刻により分割した複数のブロックのそれぞれと関連付けて、前記記憶部に記憶される、
請求項３に記載の空気調和機の集中コントロール装置。
【請求項５】
前記スケジュール情報は、前記時刻ブロックに前記動作ＩＤを対応付けて形成される、
請求項２に従属する請求項３又は請求項４に記載の空気調和機の集中コントロール装置。
【請求項６】
前記表示部は、前記動作時刻情報に前記動作内容情報を割り当てることにより前記スケジュール情報が入力されるスケジュール入力画面を表示し、
前記操作部は、前記スケジュール入力画面にしたがって前記動作時刻情報に前記動作内容情報を割り当てる
請求項１〜請求項５のいずれか一項に記載の空気調和機の集中コントロール装置。
【請求項７】
前記一つの行動内容が、複数の部屋の前記室内機の制御内容とそれぞれ関連付けて定義されたものを含む前記動作内容情報は、運転が開始される第１の室内機の情報と、前記第１の室内機の運転が開始される時に運転が停止される第２の室内機の情報と、を含む、
請求項１〜請求項６のいずれか一項に記載の空気調和機の集中コントロール装置。
【請求項８】
複数の部屋を利用する一の者の複数の行動内容のそれぞれに関連して設定された複数の室内機の複数の動作内容情報と、
動作の開始時間及び停止時刻によりそれぞれ設定された複数の動作時刻情報と、
前記動作内容情報と、前記動作時刻情報と、が予め記憶された記憶部と、
前記動作内容情報と、前記動作時刻情報と、が設定され、且つ、表示される操作表示部と、
前記複数の室内機の制御を行う制御部と、
を備え、
複数の前記動作内容情報のそれぞれは、前記操作表示部において一つの行動内容が選択され、前記操作表示部において前記一つの行動内容に関連する複数の室内機が選択され、前記操作表示部において前記複数の室内機のうちのいずれかの室内機に対して運転停止が選択されるとともに、前記複数の室内機のうちの他のいずれかの室内機に対して運転開始が選択されて設定されており、
前記複数の動作時刻情報のそれぞれは、前記操作表示部において前記動作を変化させる時刻が選択されて設定されており、
前記制御部は、それぞれの前記動作内容情報が前記動作時刻情報との組み合わせにより配列されたスケジュール情報を生成し、前記記憶部に記憶させ、
前記スケジュール情報に基づき前記複数の室内機が制御される、
空気調和機の集中コントロール装置。
【発明の詳細な説明】
【技術分野】
【０００１】
本発明は、空気調和機の集中コントロール装置に関し、特に、複数の空気調和機をスケジュールに沿って動作させる空気調和機の集中コントロール装置に関するものである。
【背景技術】
【０００２】
近年、温暖化や都市化による平均気温の上昇により、学校への空気調和機の導入が促進されている。熱中症予防など子供たちの健康状態を良くすると共に、勉強に集中できる環境を整えることが目的とされている。学校で空気調和機が使用される場合は、予め定められた時間割に即して空気調和機を利用することにより省エネルギー化を実現できることが考えられる。また、ホテルにおいても、予め決まった時間と部屋で生じる客の出入りに応じて自動で空気調和機を制御する仕組みを用いることで省エネルギー化を期待できる。
例えば、特許文献１では、集中コントロール装置のスケジュール機能を利用し、教室が利用されない授業時間は空気調和機の運転を自動で停止させる設定をする方法が提案されている（例えば、特許文献１参照）。
【先行技術文献】
【特許文献】
【０００３】
【特許文献１】特開２００４−２５１５０９号公報
【発明の概要】
【発明が解決しようとする課題】
【０００４】
特許文献１の例のように、集中コントロール装置により団体のスケジュールに沿って複数の空気調和機の制御を行う場合、団体が行う複数の行動内容に応じて複数の空気調和機に対して個別の設定がされることになる。例えば、学校においては、理科の授業で教室移動があるときには、授業開始時間に合わせて理科教室の空気調和機に対して運転開始を指示する設定と同時に、普通教室の空気調和機に対して運転停止を指示する設定が行われる。このように、従来の集中コントロール装置においては、複数の空気調和機を１つの行動内容に連動させるためには、連動して動作する空気調和機についてそれぞれ入力操作を行って、団体の行動内容に応じた動作内容になるように設定しなければならず、操作者の入力作業の負担が増大する、という問題点があった。【０００５】
本発明は、上記のような課題を解決するためになされたものであり、連動して動作する複数の空気調和機がある場合には、その設定処理を簡単にして操作者の入力作業の負担を軽減した空気調和機の集中コントロール装置を提供することを目的とする。
【課題を解決するための手段】
【０００６】
本発明に係る空気調和機の集中コントロール装置は、複数の部屋のそれぞれに取り付けられた室内機をそれぞれ制御する空気調和機の集中コントロール装置において、前記複数の部屋を利用する者の複数の行動内容と、当該行動内容に関連する部屋の前記室内機の制御内容とが関連付けて定義された動作内容情報と、前記室内機の動作の開始時刻及び終了時刻によりそれぞれ定義された複数の動作時刻情報と、前記動作内容情報と前記動作時刻情報とが組み合わされ、前記動作内容情報が前記動作時刻情報に沿って配列されたスケジュール情報とが記憶され、前記動作内容情報は、一つの行動内容が、運転停止が設定される部屋の前記室内機の制御内容及び運転開始が設定される部屋の室内機の制御内容とそれぞれ関連付けて定義されたものを含む、記憶部と、前記記憶部が記憶する前記動作時刻情報、前記動作内容情報、前記スケジュール情報を表示する表示部と、前記複数の室内機のそれぞれを制御する制御部と、を有し、前記表示部は、前記動作時刻情報が入力される時刻入力画面と、前記動作内容情報が前記行動内容毎に入力される動作入力画面と、をそれぞれ表示し、前記表示部の前記時刻入力画面又は前記動作入力画面にしたがって、該当する前記動作時刻情報又は前記動作内容情報が入力される操作部を備え、前記制御部は、前記記憶部に記憶された前記動作時刻情報と前記動作内容情報との組み合わせに基づいた前記スケジュール情報に基づいて前記複数の室内機のそれぞれを制御する。
【発明の効果】
【０００７】
本発明によれば、動作内容情報には、或る行動内容が複数の部屋の前記室内機の制御内容とそれぞれ関連づけて定義されたものを含んでいる。つまり、本発明によれば、行動内容を特定するという簡単な設定処理だけで当該行動内容に関連づけられた複数の室内機の動作内容が設定されるため、操作者の入力作業の負担を軽減できる、という効果が得られる。
【図面の簡単な説明】
【０００８】
【図１】本発明に係る空気調和機の集中コントロール装置を用いた空調設備の全体構成図である。
【図２】図１の集中コントロール装置を説明する機能ブロック図である。
【図３】図２の集中コントロール装置の記憶部に格納される情報の説明図である。
【図４】図２の集中コントロール装置の操作表示部に表示されるスケジュール入力画面を説明する模式図である。
【図５】図２の集中コントロール装置の操作表示部に表示される時刻入力画面を説明する模式図である。
【図６】図２の集中コントロール装置の操作表示部に表示される動作入力画面を説明する模式図（その１）である。
【図７】図２の集中コントロール装置の操作表示部に表示される動作入力画面を説明する模式図（その２）である。
【図８】図２の集中コントロール装置の操作表示部に表示されるスケジュール入力画面を説明する模式図（その１）である。
【図９】図２の集中コントロール装置の操作表示部に表示されるスケジュール入力画面を説明する模式図（その２）である。
【発明を実施するための形態】
【０００９】
以下に、本発明に係る空気調和機の集中コントロール装置の実施形態を図面に基づいて詳細に説明する。なお、本実施形態によって本発明が限定されるものではない。
【００１０】
本発明に係る空気調和機の集中コントロール装置（以下、集中コントロール装置という）は、予め定められた時間割に沿って行動する団体（又は個人）による利用が想定される、例えば学校などの空調設備に用いられるものである。この集中コントロール装置には、団体の行動するスケジュールに応じた動作をさせるスケジュール機能が備えられており、当日のスケジュール、１週間毎のスケジュール、及び年間スケジュールなどが操作者により設定される。
【００１１】
図１は、本発明に係る空気調和機２００の集中コントロール装置１００を用いた空調設備１の全体構成図である。図１に示すように、本発明に係る集中コントロール装置１００には、空気調和機２００の室外機２０１を介し、複数の空気調和機２００の室内機２０２が接続されている。なお、図１においては、集中コントロール装置１００が１つの室外機２０１に接続された構成が図示されている。なお、本発明は、このような構成に限定されず、複数の室外機２０１に接続した構成でもよく、集中コントロール装置１００の指示（制御指令）が複数の室内機２０２に通知（送信）される構成であればよい。また、集中コントロール装置１００からの指示は、有線を介して複数の室内機２０２に通知（送信）されてもよく、無線通信により通知（送信）されていてもよい。
【００１２】
複数の室内機２０２はグループ２ごとに配置され、室外機２０１を介して集中コントロール装置１００により制御される。以下の説明においては、１つのグループ２に属する室内機２０２を１つの室内機２０２として説明する。
【００１３】
集中コントロール装置１００は、予め決められた利用者の行動のスケジュールに沿って複数の室内機２０２の動作内容を制御するものである。室内機２０２の動作内容としては、運転開始／停止、冷房／暖房／除湿切り替え、風向き、風速、温度設定などがある。また、それぞれの室内機２０２には、集中コントロール装置１００とは別に、室内機２０２を個別にコントロールするリモコン３が設けられている。
【００１４】
図２は、図１の集中コントロール装置１００を説明する機能ブロック図である。図２に示すように、集中コントロール装置１００は、記憶部１１０と、制御部１２０と、通信部１３０と、操作表示部３００とを備える。記憶部１１０は、室内機２０２の動作時刻及び動作内容に関する情報を記憶し、制御部１２０は、記憶部１１０が記憶する情報に基づき室内機２０２の動作を制御する。制御部１２０は、例えばマイコンから構成され、マイコンのＲＯＭに格納された制御プログラムとその制御プログラムを演算するＣＰＵとによって実現される。通信部１３０は、制御の指示内容をそれぞれの室内機２０２に対して通知（送信）する。操作表示部３００は、室内機２０２の動作に関する情報及びスケジュールなどを設定する操作が行われると共に、設定された内容を表示する。操作表示部３００は、例えばタッチパネルなどの液晶画面から構成される。操作表示部３００は、本発明の操作部及び表示部の一例であり、操作部と表示部とが一体的に設けられた構成であるが、これらを個別（別体）に設けた構成としてもよい。
【００１５】
図３は、図２の集中コントロール装置１００の記憶部１１０に格納される情報の説明図である。図３に示すように、記憶部１１０は、動作時刻情報１１１と、動作内容情報１１２と、それらの組み合わせの集合から成るスケジュール情報１１３とを記憶している。
【００１６】
動作時刻情報１１１は、室内機２０２の動作を変化させる時間の情報であり、団体が行う行動のスケジュールに基づいて操作者により設定される。記憶部１１０は、動作を変化させる時間の開始時刻及び終了時刻を動作時刻情報１１１として記憶する。また、記憶部１１０は、１日の単位を、動作が変化する時刻で分割した複数のブロックを時刻ブロックとして記憶する。それぞれのブロックに対応する開始時刻及び終了時刻は、ブロック毎に設定されたＩＤ（時刻ＩＤ）と関連づけられて動作時刻情報１１１として記憶される。ブロック毎のＩＤ（時刻ＩＤ）は、操作者の認識を容易にするために設定されるものである。なお、動作時刻情報１１１の具体例については後述の図５において説明する。
【００１７】
動作内容情報１１２は、団体が行う行動内容と、行動内容に関連して動作が指示される複数の室内機２０２の制御内容とから成る情報であり、団体が行う複数の行動内容毎に設定されるものである。ここで、団体による行動の内容とは、団体による行動を発生させる事象をいい、学校の場合には授業科目に応じて生じる教室移動などである。記憶部１１０は、動作内容情報１１２として、動作が指示される室内機２０２と、当該室内機２０２の冷房／暖房／除湿切り替え、風向き、風速、温度設定などの動作内容（運転モード）とを記憶する。また、記憶部１１０は、行動内容毎に設定された動作ＩＤを動作が指示される室内機２０２の制御内容と関連づけて記憶する。動作ＩＤも、操作者による行動内容の認識を容易にするために設定されるものである。なお、動作内容情報１１２の具体例については後述の図６において説明する。
【００１８】
スケジュール情報１１３は、複数の室内機２０２の動作に対する指示の内容を動作させる時間毎に配列したものであり、室内機２０２の動作を変化させる時間と、その動作が指示される室内機２０２及び動作の内容との組み合わせにより構成されている。記憶部１１０は、スケジュール情報１１３として動作時刻情報１１１と動作内容情報１１２との組み合わせを記憶する。そして、スケジュール情報１１３に基づき、それぞれの室内機２０２に対する集中コントロール装置１００からの指示の内容が決定され、通信部１３０からそれぞれの室内機２０２に対して通知される。
【００１９】
続いて、スケジュール情報１１３の詳細について、図４を参照しながら説明する。
図４は、図２の集中コントロール装置１００の操作表示部３００に表示されるスケジュール入力画面３１０を説明する模式図である。以下の説明では、小学校において児童がクラス単位で行動する場合を例にとり説明する。
【００２０】
図４に示すように、スケジュール入力画面３１０には、当日のスケジュール情報１１３が一覧表示される。スケジュール入力画面３１０は、クラス３１１毎のスケジュール情報１１３が表示され、入力した設定を確定するＯＫ３１５及び取り消しするキャンセル３１６が設けられている。スケジュール情報１１３は、複数の時刻ブロック３１２から構成されている。時刻ブロック３１２は、１日の単位を室内機２０２の動作を変化させる時間（動作時刻）で分割したものである。それぞれの時刻ブロック３１２には、動作時刻情報１１１を表す時刻ＩＤ３１３と、動作内容情報１１２を表す動作ＩＤ３１４とが割り当てられて表示される。例えば、クラスが「１―２」である場合、時刻ＩＤ３１３が「３限目」である時刻ブロック３１２には、動作ＩＤ３１４が「理科」として割り当てられて表示されている。時刻ブロック３１２では、１日のスケジュールが分単位で設定されるが、そのほかにも、1週間のスケジュールを曜日毎に設定する曜日ブロック、年間スケジュールを月ごとに設定する月ブロックなどを設けることもできる。
【００２１】
図４のスケジュール入力画面３１０は、一例として、低学年グループ（１−１〜３−２）の各クラスのスケジュールを表示したものである。次に、このようなスケジュールを作成する過程を説明する（図５〜図９）。集中コントロール装置１００の記憶部１１０に記憶される動作時刻情報１１１、動作内容情報１１２及びスケジュール情報１１３は、操作表示部３００の操作により設定される。
【００２２】
始めに、動作時刻情報１１１の設定を行う時刻入力画面３２０について説明する。
図５は、図２の集中コントロール装置１００の操作表示部３００に表示される時刻入力画面３２０を説明する模式図である。図５に示すように、時刻入力画面３２０では、ブロック名３２１と、曜日３２２と、動作の開始時刻３２３及び終了時刻３２４とを入力し、動作時刻情報１１１を設定する。時刻ＩＤ３１３に関連づけられるブロック名３２１は、時刻ブロック３１２を認識しやすくするために設定するものであり、ブロックの単位に分割した時刻に操作者が決定した名称が入力される。また、曜日３２２には、当該動作時刻が設定される曜日が選択される。ブロック名３２１と、曜日３２２と、開始時刻３２３及び終了時刻３２４との入力後、ＯＫ３２５を押下することで当該動作時刻情報１１１が設定される。入力した設定を取り消す場合は、キャンセル３２６を押下すればよい。この作業を繰り返し行うことで、動作時刻情報１１１がスケジュール初期設定として記憶部１１０に記憶される。予め決まった時間や部屋で室内機２０２が利用される場合は、開始時刻３２３及び終了時刻３２４に更新がない限り、１度の操作により動作時刻情報１１１にスケジュール初期設定を設定することができる。
【００２３】
次に、動作内容情報１１２の設定を行う動作入力画面３３０について説明する。
図６は、図２の集中コントロール装置１００の操作表示部３００に表示される動作入力画面３３０を説明する模式図（その１）である。図６に示すように、動作入力画面３３０では、ラベル名３３１と、特定された２つの室内機の情報３３２ａ、３３２ｂと、室内機２０２の動作内容（運転モード）３３３ａ、３３３ｂとが入力される。ラベル名３３１は、団体による行動を表す動作ＩＤであり、例えば「理科」などの授業科目名などが設定される。室内機の情報３３２ａ、３３２ｂは、行動内容に関連するとして特定された室内機２０２である。それぞれの室内機２０２には、動作内容の指示が運転モード３３３ａ、３３３ｂとして設定される。図６の例では、ラベル名３３１として「理科」が設定され、室内機の情報３３２ａとして、普通教室の運転を停止する設定と、室内機の情報３３２ｂとして、理科教室の運転を開始する設定が入力されている。また、運転モード３３３ａ、３３３ｂには、冷房が設定されている。このように、団体による行動内容をラベル名３３１として設定しラベル化することで、行動内容を表すラベル名３３１を選択すると、行動内容に関連づけられた室内機２０２が行動内容に追従して動作することになる。
【００２４】
ラベル名３３１と、室内機の情報３３２ａ、３３２ｂと、動作内容（運転モード）３３３ａ、３３３ｂとの入力後、ＯＫ３３４を押下することで行動に関連づけられた動作内容が動作内容情報１１２として記憶部１１０に記憶される。入力した設定を取り消す場合は、キャンセル３３５を押下すればよい。その後、その他に想定される行動について、同様の操作を繰り返す。
【００２５】
図７は、図２の集中コントロール装置１００の操作表示部３００に表示される動作入力画面３３０を説明する模式図（その２）である。例えば、図７においては、ラベル名３３１として「音楽」が設定され、室内機の情報３３２ａとして普通教室の運転を停止する設定と、室内機の情報３３２ｂとして音楽教室の運転を開始する設定が入力された例が示されている。この動作内容情報１１２を入力する作業についても、動作時刻情報１１１と同様、１度設定がされれば、動作内容に更新がない限りスケジュール情報１１３を入力する度に設定する必要はない。
【００２６】
時刻入力画面３２０と、動作入力画面３３０とにおける操作により、動作時刻情報１１１及び動作内容情報１１２が記憶部１１０に記憶される。
【００２７】
次に、スケジュール入力画面３１０で操作することにより、動作時刻情報１１１と動作内容情報１１２とを組み合わせ、スケジュール情報１１３を作成する。
【００２８】
図８は、図２の集中コントロール装置１００の操作表示部３００に表示されるスケジュール入力画面３１０を説明する模式図（その１）である。図８に示すように、動作時刻情報１１１の設定後のスケジュール入力画面３１０には、それぞれ時刻ＩＤ３１３が割り当てられた時刻ブロック３１２が配列されている。それぞれの時刻ブロック３１２に、動作ＩＤ３１４を割り当てることで動作のスケジュール情報１１３が設定される。
【００２９】
動作ＩＤ３１４の割り当てには、まず、動作ＩＤ３１４が割り当てられる時刻ブロック３１２をタッチし、ポップアップ画面３１４ａを表示させる。ポップアップ画面３１４ａには、行動内容を表す複数の動作ＩＤ３１４が表示される。所望の行動内容の動作ＩＤ３１４を選択すると、当該動作ＩＤ３１４が時刻ブロック３１２に表示される。例えば、図８の例では、クラス３１１を「１−１」、時刻ＩＤ３１３を「１限目」とする時刻ブロック３１２において、ポップアップ画面３１４ａ上で「理科」を選択すると、１限目の動作が理科として特定される。時刻ブロック３１２に動作内容情報１１２が割り当てられ、スケジュール入力画面３１０においてＯＫ３１５が押下されると、設定された内容のスケジュール情報１１３が記憶部１１０に記憶されることになる。入力した設定を取り消す場合は、キャンセル３１６を押下すればよい。このように、時刻ブロック３１２に行動内容を表す動作ＩＤ３１４を割り当てることで、動作ＩＤ３１４と関連づけてリスト化された複数の室内機２０２の動作内容を設定することができる。
【００３０】
そのほかの時刻ブロック３１２に対しても同様の操作を繰り返す。図９は、図２の集中コントロール装置１００の操作表示部３００に表示されるスケジュール入力画面３１０を説明する模式図（その２）である。例えば、図９の例では、クラス３１１を「２−１」、時刻ＩＤ３１３を「３限目」とする時刻ブロック３１２において、ポップアップ画面３１４ａ上で「音楽」を選択すると、３限目の動作内容が音楽として特定される。
【００３１】
なお、スケジュール情報１１３は、学校の時間割などがデータベース化されている場合には、当該データベースと連動させることによって作成することも可能であり、そのような場合には入力作業が更に簡略化される。
【００３２】
以上のようにして、図４に示すように、当日のスケジュール情報１１３が作成され、記憶部１１０に記憶される。そして、制御部１２０がそれぞれの室内機２０２に対して動作内容を指示し、複数の室内機２０２が指示内容に応じて動作する。これにより、集中コントロール装置１００による団体の行動に応じた複数の室内機２０２の動作が実現される。
【００３３】
なお、新学期で団体の行動についてのスケジュール（時間割）に変更がある場合などには、予め記憶された動作時刻情報１１１や動作内容情報１１２を用いてスケジュール情報１１３を更新すればよい。変更がないことが予想される動作時刻情報１１１や動作内容情報１１２については、再度設定する作業を回避することができる。
【００３４】
また、行動を変更する場合、例えば、特別教室が工事中で他の特別教室に変更となる場合などには、操作者は、動作入力画面３３０において動作内容情報１１２を更新する。その結果、当該動作内容情報１１２に対応する動作ＩＤ３１４が設定された全ての時刻ブロック３１２の動作内容情報１１２を一括で更新することができる。
【００３５】
以上説明したように、本実施形態に係る集中コントロール装置１００においては、例えば理科の授業を受ける教室の生徒の場合には、理科の授業を受けることを特定するだけで、その生徒の普通教室の室内機を停止し、理科の教室の空調機を動作させる、というように、複数の室内機を自動的に連動させることができる。つまり、操作者は、動作ＩＤ３１４（理科）を１つ選択するだけで、当該動作ＩＤ３１４（理科）に関連づけられた複数の室内機２０２（普通教室、理科教室）の動作内容を自動的に設定できるため、操作者の入力作業の負担を大幅に軽減することができる。
【００３６】
また、本実施形態によれば、記憶部１１０にはスケジュール情報１１３が記憶されている。そして、スケジュール情報１１３は、動作時刻情報１１１と動作内容情報１１２とが組み合わされ、動作内容情報１１２が動作時刻情報１１１に沿って配列されて構成されている。制御部１２０は、記憶部１１０に記憶されたスケジュール情報に基づいて複数の室内機のそれぞれを制御するように構成されている。したがって、動作時刻情報１１１と動作内容情報１１２とを組み合わせる操作だけでスケジュール情報１１３を作成することができ、操作者の入力作業が簡単なものとなっている。
【００３７】
また、本実施形態によれば、利用者の行動内容が当該行動内容を表す動作ＩＤ３１４（上記の例では、理科、音楽等）によって特定され、動作内容情報１１２は、動作ＩＤ３１４と室内機の制御内容とが関連付けて定義されて記憶部１１０に記憶される。このように、室内機の制御内容が、操作者によって特定された団体（又は個人）の行動内容を表わす動作ＩＤ３１４（上記の例では、理科、音楽等）に関連づけられるため、室内機の動作内容の認識が容易である。
【００３８】
また、本実施形態によれば、複数の動作時刻情報１１１のそれぞれが当該動作時刻情報を表す時刻ブロック３１２とそれをラベル化した時刻ＩＤ３１３によって特定されて記憶部１１０に記憶される。このため、動作時刻情報を時刻ＩＤ３１３（上記の例では、１限目、２限目等）として扱うことができるので、スケジュール情報１１３の作成が容易になる。
【００３９】
また、本実施形態によれば、スケジュール情報１１３は、時刻ブロック３１２に動作ＩＤ３１４を対応づけて形成される。つまり、時刻ブロック３１２に動作ＩＤ３１４を貼り付けるようにすることで、スケジュール情報１１３を作成することができるので、スケジュール情報１１３の作成が容易になる。
【００４０】
また、本実施形態によれば、操作表示部３００が、時刻入力画面３２０（図５）と、動作入力画面３３０（図６、図７）とをそれぞれ表示する。そして、時刻入力画面（３２０）又は動作入力画面（３３０）にしたがって、該当する動作時刻情報又は動作内容情報を入力するようにしたので、視認性がよく、操作性に優れており、スケジュール情報１１３の作成が容易になる。
【００４１】
なお、本実施形態においては、空調設備１には、１つの室外機２０１と、複数の室内機２０２とが接続されている。しかし、本発明では、空調設備１は、複数の室外機２０１と、複数の室内機２０２とから構成されていてもよく、空調設備１の構成は限定されない。また、集中コントロール装置１００は、室外機２０１を介して室内機２０２と接続された例を示しているが、室内機２０２に対する制御内容が集中コントロール装置１００から通知することができれば構成はこれに限定されない。集中コントロール装置１００が、室内機２０２と直接接続した構成などであってもよい。
【００４２】
また、動作時刻情報は、１日を単位としてそれを分割した時刻ブロック３１２の例について説明したが、その他に、１週間又は１年の単位としてそれを分割するようにしてもよい。これにより、利用者の行動内容に応じた期間を表示しやすくなるため、スケジュール情報１１３の入力が容易になる。
【００４３】
なお、このように予め決まった時間と部屋で利用される施設として、ホテルがある。ホテルにおいても、例えば、客室の空気調和機と、会議室の空気調和機とを連動させるなどにより、客の出入りに応じて自動で空気調和機を制御する仕組みは、省エネルギー化に有効である。
【符号の説明】
【００４４】
１  空調設備、２  グループ、３  リモコン、１００  集中コントロール装置、１１０  記憶部、１１１  動作時刻情報、１１２  動作内容情報、１１３  スケジュール情報、１２０  制御部、１３０  通信部、２００  空気調和機、２０１  室外機、２０２  室内機、３００  操作表示部、３１０  スケジュール入力画面、３１１  クラス、３１２  時刻ブロック、３１３  時刻ＩＤ、３１４  動作ＩＤ、３１４ａ  ポップアップ画面、３１５、３２５、３３４  ＯＫ、３１６、３２６、３３５  キャンセル、３２０  時刻入力画面、３２１  ブロック名、３２２  曜日、３２３  開始時刻、３２４  終了時刻、３３０  動作入力画面、３３１  ラベル名、３３２ａ、３３２ｂ  空気調和機の情報、３３３ａ、３３３ｂ  運転モード。
【図１】
0006505218.tif 000002
【図２】
0006505218.tif 000003
【図３】
0006505218.tif 000004
【図４】
0006505218.tif 000005
【図５】
0006505218.tif 000006
【図６】
0006505218.tif 000007
【図７】
0006505218.tif 000008
【図８】
0006505218.tif 000009
【図９】
0006505218.tif 000010